(57)【要約】【課題】各ケーブルネットワークにおけるダウンロード情報の送出に関するコストを節約する。【解決手段】ディジタル放送信号を周波数変換及び復調してディジタル放送データを得る手段と、上記ディジタル放送データから伝送路に関するネットワーク・インフォメーション・テーブル（ＮＩＴ）を検出する手段と、上記ＮＩＴをケーブルネットワークに適合するように変更する手段と、ＮＩＴを置き換える手段と、ＮＩＴの置き換え後のディジタル放送データを変調及び周波数変換して上記ケーブルネットワーク上のディジタル放送信号を得る手段と、を備え、上記変調後のディジタル放送データは、上記ケーブルネットワーク独自のダウンロード制御情報を含む、信号処理装置を提供する。【選択図】図１２
2011109672.tif 000002
【特許請求の範囲】
【請求項１】
ディジタル放送信号を周波数変換して第１のディジタル変調信号を得る第１の周波数変換手段と、
上記第１のディジタル変調信号を復調してディジタル放送データを得る復調手段と、
上記復調手段より出力されるディジタル放送データから伝送路に関するネットワーク・インフォメーション・テーブルを検出するテーブル検出手段と、
上記テーブル検出手段で検出される上記ネットワーク・インフォメーション・テーブルをケーブルネットワークに適合するように変更するテーブル変更手段と、
上記復調手段より出力されるディジタル放送データのネットワーク・インフォメーション・テーブルを上記テーブル変更手段で変更して得られたネットワーク・インフォメーション・テーブルに置き換えるテーブル置き換え手段と、
上記テーブル置き換え手段でネットワーク・インフォメーション・テーブルが置き換えられたディジタル放送データを変調して第２のディジタル変調信号を得る変調手段と、
上記第２のディジタル変調信号を周波数変換して上記ケーブルネットワーク上のディジタル放送信号を得る第２の周波数変換手段と、
を備え、
上記変調手段で変調される上記ディジタル放送データは、上記ケーブルネットワーク独自のダウンロード制御情報を含む、
信号処理装置。
【請求項２】
上記ダウンロード制御情報は、ダウンロード制御テーブルと、ダウンロードするソフトウェア本体を含むダウンロードテーブルとからなる、請求項１に記載の信号処理装置。
【請求項３】
ディジタル放送信号を周波数変換して第１のディジタル変調信号を得る第１の周波数変換ステップと、
上記第１のディジタル変調信号を復調してディジタル放送データを得る復調ステップと、
上記復調ステップで得られたディジタル放送データから伝送路に関するネットワーク・インフォメーション・テーブルを検出するテーブル検出ステップと、
上記テーブル検出ステップで検出される上記ネットワーク・インフォメーション・テーブルをケーブルネットワークに適合するように変更するテーブル変更ステップと、
上記復調ステップで得られたディジタル放送データのネットワーク・インフォメーション・テーブルを上記テーブル変更ステップで変更して得られたネットワーク・インフォメーション・テーブルに置き換えるテーブル置き換えステップと、
上記テーブル置き換えステップでネットワーク・インフォメーション・テーブルが置き換えられたディジタル放送データを変調して第２のディジタル変調信号を得る変調ステップと、
上記第２のディジタル変調信号を周波数変換して上記ケーブルネットワーク上のディジタル放送信号を得る第２の周波数変換ステップと、
を有し、
上記変調ステップで変調される上記ディジタル放送データは、上記ケーブルネットワーク独自のダウンロード制御情報を含む、
信号処理方法。
【発明の詳細な説明】
【技術分野】
【０００１】
本発明は、信号処理装置及び信号処理方法に関する。
【背景技術】
【０００２】
例えば、衛星ディジタル多チャネル放送を、ケーブルテレビ事業者等が自施設内のネットワークを利用し、変調変換送出装置等によって配信サービスすることが考えられる。
【発明の概要】
【発明が解決しようとする課題】
【０００３】
ところで、衛星系では、受信機のソフトウェア機能の一部または全部を変更する目的で、衛星回線を通じて、このソフトウェアを配信するダウンロード機能を有している。ケーブル伝送においても、同等の機能が求められている。ここで、従来の技術では、各ケーブルネットワークで独自のダウンロード情報をネットワークに送出する必要があり、ダウンロード情報の送出ための設備等にコストがかかることとなる。
【０００４】
そこで、この発明では、各ケーブルネットワークにおいて独自のダウンロード情報の送出に関わる設備コスト等を節約し得る信号処理装置等を提供することを目的とする。
【課題を解決するための手段】
【０００５】
本発明の一実施形態によれば、ディジタル放送信号を周波数変換して第１のディジタル変調信号を得る第１の周波数変換手段と、上記第１のディジタル変調信号を復調してディジタル放送データを得る復調手段と、上記復調手段より出力されるディジタル放送データから伝送路に関するネットワーク・インフォメーション・テーブルを検出するテーブル検出手段と、上記テーブル検出手段で検出される上記ネットワーク・インフォメーション・テーブルをケーブルネットワークに適合するように変更するテーブル変更手段と、上記復調手段より出力されるディジタル放送データのネットワーク・インフォメーション・テーブルを上記テーブル変更手段で変更して得られたネットワーク・インフォメーション・テーブルに置き換えるテーブル置き換え手段と、上記テーブル置き換え手段でネットワーク・インフォメーション・テーブルが置き換えられたディジタル放送データを変調して第２のディジタル変調信号を得る変調手段と、上記第２のディジタル変調信号を周波数変換して上記ケーブルネットワーク上のディジタル放送信号を得る第２の周波数変換手段と、を備え、上記変調手段で変調される上記ディジタル放送データは、上記ケーブルネットワーク独自のダウンロード制御情報を含む、信号処理装置が提供される。
【０００６】
上記ダウンロード制御情報は、ダウンロード制御テーブルと、ダウンロードするソフトウェア本体を含むダウンロードテーブルとからなってもよい。
【０００７】
例えば、衛星系のディジタル放送信号は所定の伝送周波数を有しているが、このディジタル放送信号は周波数変換されてディジタル変調信号とされ、さらに復調されることで衛星系のディジタル放送データが得られる。このディジタル放送データは、ＮＩＴを持っている。この衛星系のディジタル放送データよりＮＩＴが検出され、このＮＩＴがケーブルネットワークに適合するように変更される。例えば、衛星ディジタル多チャネル放送をケーブルテレビ事業者等が自施設内のネットワークを利用して変調変換送出装置によって配信サービスする場合等にあってはＮＩＴの周波数情報が変更される。また、ケーブルネットワーク上のディジタル放送信号の数が衛星系のディジタル放送信号の数よりも少なくなるとき、衛星系のディジタル放送信号のうちケーブルネットワーク上のディジタル放送信号に対応していないディジタル放送信号に係る情報が削除される。
【０００８】
そして、衛星系におけるディジタル放送データのＮＩＴが、ケーブルネットワークに適合するように変更して得られたＮＩＴに置き換えられて、ケーブルネットワークにおけるディジタル放送データが形成される。このディジタル放送データは変調されてディジタル変調信号とされ、さらに周波数変換されてケーブルネットワークで送信するディジタル放送信号が得られる。
【０００９】
また、本発明の別の実施形態によれば、ディジタル放送信号を周波数変換して第１のディジタル変調信号を得る第１の周波数変換ステップと、上記第１のディジタル変調信号を復調してディジタル放送データを得る復調ステップと、上記復調ステップで得られたディジタル放送データから伝送路に関するネットワーク・インフォメーション・テーブルを検出するテーブル検出ステップと、上記テーブル検出ステップで検出される上記ネットワーク・インフォメーション・テーブルをケーブルネットワークに適合するように変更するテーブル変更ステップと、上記復調ステップで得られたディジタル放送データのネットワーク・インフォメーション・テーブルを上記テーブル変更ステップで変更して得られたネットワーク・インフォメーション・テーブルに置き換えるテーブル置き換えステップと、上記テーブル置き換えステップでネットワーク・インフォメーション・テーブルが置き換えられたディジタル放送データを変調して第２のディジタル変調信号を得る変調ステップと、上記第２のディジタル変調信号を周波数変換して上記ケーブルネットワーク上のディジタル放送信号を得る第２の周波数変換ステップと、を有し、上記変調ステップで変調される上記ディジタル放送データは、上記ケーブルネットワーク独自のダウンロード制御情報を含む、信号処理方法が提供される。
【発明の効果】
【００１０】
上述した信号処理装置及び信号処理方法の構成によれば、ＣＡＴＶ用に独自に作成された情報を、衛星系のディジタル放送データに含まれるダウンロード情報のデータ領域を利用して、ケーブルネットワークに容易に送出することができる。
【図面の簡単な説明】
【００１１】
【図１】実施の形態としてのディジタルＣＡＴＶシステムの構成を示すブロック図である。
【図２】ＭＰＥＧ２トランスポートパケットとＤＶＢシステムのフレーム構成を示す図である。
【図３】ＭＰＥＧ２トランスポートパケットのパケット構造を示す図である。
【図４】ＰＥＳパケットのパケット構造を示す図である。
【図５】プログラム・アソシエーション・テーブル（ＰＡＴ）のテーブル構造を示す図である。
【図６】プログラム・マップ・テーブル（ＰＭＴ）のテーブル構造を示す図である。
【図７】ネットワーク・インフォメーション・テーブル（ＮＩＴ）のテーブル構造を示す図である。
【図８】ＮＩＴにおけるサテライト・デリバリー・システム・ディスクリプタの構造を示す図である。
【図９】ＮＩＴにおけるサービス・リスト・ディスクリプタの構造を示す図である。
【図１０】ダウンロード制御テーブル（ＤＣＴ）のテーブル構造を示す図である。
【図１１】ダウンロードテーブル（ＤＬＴ）のテーブル構造を示す図である。
【図１２】ディジタルＣＡＴＶシステムを構成する変調変換送出装置の構成を示すブロック図である。
【図１３】ＣＡＴＶ・デリバリー・システム・ディスクリプタの構造を示す図である。
【図１４】ディジタルＣＡＴＶシステムを構成するセット・トップ・ボックス（ＳＴＢ）の構成を示すブロック図である。
【図１５】セット・トップ・ボックス（ＳＴＢ）の受信動作を説明するためのフローチャートである。
【図１６】ディジタルＣＡＴＶシステムを構成する変調変換送出装置の他の構成を示すブロック図である。
【発明を実施するための形態】
【００１２】
以下、図面を参照しながら、この発明の実施の形態について説明する。図１は、実施の形態としての衛星ディジタル多チャネル放送を利用したディジタルＣＡＴＶ（cable  television）システム１０を示している。本実施の形態においては、衛星ディジタル多チャネル放送として、ＳｋｙＰｅｒｆｅｃＴＶ！を想定している。
【００１３】
このシステム１０は、通信衛星２０の複数のトランスポンダ（衛星中継器）からのディジタル放送信号を受信するアンテナ１１と、この受信されたディジタル放送信号の伝送周波数や変調方式等を変更してＣＡＴＶ用のディジタル放送信号を生成して伝送路１３に送出する変調変換送出装置１２とを有して構成されている。なお、伝送路１３には、受信端末であるセット・トップ・ボックス（宅内受信装置）１４-1〜１４-mが接続され、これらセット・トップ・ボックス１４-1〜１４-mで選択されたチャネル番号の画像がモニタ１５-1〜１５-mに表示される。
【００１４】
ここで、通信衛星２０より送られてくるディジタル放送信号について説明する。本実施の形態において、このディジタル放送信号は、ＤＶＢ（Digital  VideoBroadcasting）システムに対応したものである。図２ＢはＤＶＢシステムにおけるディジタル放送データのフレーム構成を示しており、８個のＭＰＥＧ２トランスポートパケット（図２Ａ参照）で１フレームが構成されている。この場合、パケット内の同期バイト（＝４７H）を用い、８パケットに１回の割合で同期バイトを反転（＝Ｂ８H）させてフレーム同期を得る構成となっている。なお、各ＭＰＥＧ２トランスポートパケット（ＭＰＥＧ２ＴＳパケット）には、リードソロモン（２０４，１８８）による誤り訂正符号が付加される。図２Ｂに示すディジタル放送データがＱＰＳＫ（Quadrature  Phase  Shift  Keying）変調され、その後にＳＨＦ帯に周波数変換されて通信衛星２０より送信されてくるディジタル放送信号となる。
【００１５】
図３は、ＭＰＥＧ２トランスポートパケットのパケット構成を示しており、１８８バイトのうち先頭の４バイトはパケットヘッダを構成している。パケットヘッダには該当パケットの個別ストリーム（データ列）の属性を示すＰＩＤ（Packet  Identification：パケット識別子）が配されている。ＭＰＥＧ２トランスポートパケットのペイロード（データ部）には、周知のように図４にパケット構成を示すＰＥＳ（Packetized  Elementary  Stream）パケットが再分割されて配されると共に、さらにＭＰＥＧ２システムの中で規定されているＰＳＩ（Program  Specific  Information：プログラム仕様情報）としてのＰＡＴ（Program  Association  Table）、ＰＭＴ（Program  Map  Table）、ＮＩＴ（Network  Information  Table）等のテーブル類もセクション形式によって配されている。
【００１６】
ここで、ＰＳＩは簡便な選局操作およびプログラム選択を実現するために必要な情報である。ＰＡＴは各プログラム番号（１６ビット）毎に、そのプログラムを構成するパケットの情報を伝送するＰＭＴのＰＩＤを示すものであり、図５はＰＡＴのテーブル構造を示している。ＰＡＴ自体のＰＩＤとしては、固定的にＰＩＤ＝“0×0000”（「0×」は１６進表記であることを示している）が割り当てられている。
【００１７】
主な内容について説明する。テーブルＩＤは、テーブルの種別を示すものであって、ＰＡＴでは“0×00”である。ＴＳ（トランスポート・ストリーム）ＩＤは、ストリーム（多重化された符号化データ）を識別するものであって、衛星の場合はトランスポンダに相当する。バージョン番号は、テーブルの内容が更新される都度加算される。カレント・ネクスト・インジケータは、新旧バージョンを同時に伝送する際の識別に用いられる。プログラム番号は、個々のチャネルを識別するものである。ネットワークＰＩＤは、プログラム番号が“0×0000”の場合に、ＮＩＴのＰＩＤを示すものである。プログラム・マップＰＩＤは、ＰＭＴのＰＩＤを示すものである。
【００１８】
また、ＰＭＴは、各プログラム番号毎に、そのプログラムを構成する映像、音声、付加データ等のストリームが伝送されるパケットのＰＩＤを示すものである。ＰＭＴ自体のＰＩＤは、上述したようにＰＡＴで指定される。図６は、ＰＭＴのテーブル構造を示している。ＰＡＴと重複しない主な内容について説明する。テーブルＩＤは、テーブルの種別を示すものであって、ＰＭＴでは“0×02”である。ＰＣＲ  ＰＩＤは復号する際の基準となるクロック（ＰＣＲ：Program  Clock  Reference）が含まれるパケットのＰＩＤを示すものである。ストリーム・タイプは、映像、音声、付加データ等、ストリームで伝送される信号の種類を示すものである。
【００１９】
また、ＮＩＴは、伝送路に関する物理的な情報、すなわち衛星においては衛星の軌道、偏波、トランスポンダ毎の周波数等を示すものである。ＮＩＴ自体のＰＩＤは、上述したようにＰＡＴで指定される。図７は、ＮＩＴのテーブル構造を示している。ＰＡＴ、ＰＭＴと重複しない主な内容について説明する。テーブルＩＤは、テーブルの種別を示すものであって、当該ネットワークが“0×40”、他のネットワークが“0×41”である。ネットワークＩＤは、ネットワークを識別するものである。衛星の場合は個々の衛星に相当する。
【００２０】
さらに、ＮＩＴの一部として重要な役割を果たす二つのディスクリプタについて説明する。まず、サテライト・デリバリー・システム・ディスクリプタを説明する。このディスクリプタは、ＴＳ（トランスポート・ストリーム）ディスクリプタ長に従って繰り返されるディスクリプタの１番目として使用するものであって、ＴＳ（トランスポート・ストリーム）ＩＤと一対になる。
【００２１】
図８は、サテライト・デリバリー・システム・ディスクリプタの構造を示している。ディスクリプタ・タグは、ＤＶＢで規定されており、ディスクリプタの種別を示すものである。このディスクリプタでは、“0×43”となる。周波数は、ストリーム（ここではトランスポンダ）毎の伝送周波数を示すものである。軌道／西経・東経フラグ／偏波は、衛星の軌道、偏波を示すものである。変調／シンボル・レート／内側誤り訂正符号化率は、伝送方式に関する仕様を示すものである。
【００２２】
次に、サービス・リスト・ディスクリプタを説明する。このディスクリプタは、ＴＳ（トランスポート・ストリーム）ディスクリプタ長に従って繰り返されるディスクリプタの２番目以降として使用するものであって、当該ストリーム（ここではトランスポンダ）に多重されたサービス（チャネル）のＩＤを示すものである。すなわち、一つのＴＳ（トランスポート・ストリーム）ＩＤに複数のサービス・リスト・ディスクリプタが付属する。
【００２３】
図９は、サービス・リスト・ディスクリプタの構造を示している。ディスクリプタ・タグは、ＤＶＢで規定されており、ディスクリプタの種別を示すものである。このディスクリプタでは、“0×41”となる。サービスＩＤは、サービスを識別するものである。通常、サービスは視聴者が選局するチャネルと一致する。サービスタイプは、映像、音声、データ等、サービスの内容を示すものである。
【００２４】
また、ＭＰＥＧ２トランスポートパケットのペイロード部（データ部）には、ダウンロードにより伝送システムの転換、受信機の機能向上等を実現するために必要となるＤＣＴ（Download  Control  Table：ダウンロード制御テーブル）とＤＬＴ（Download  Table：ダウンロードテーブル）も、セクション形式によって配されている。
【００２５】
ＤＣＴは、トランスポート・ストリームよりＤＬＴを分離抽出するための情報を持つテーブルである。例えば、ＳｋｙＰｅｒｆｅｃＴＶ！の運用規定では、ＰＩＤ＝“0×0017”となっている。このＤＣＴは、当該ネットワークの全てのトランスポート・ストリームにて伝送される。
【００２６】
図１０はＤＣＴのテーブル構造を示している。主な内容について説明する。テーブルＩＤは、テーブルの種別を示すものであって、“0×C0”である。ネットワークＩＤは、ネットワークを識別するものである。このネットワークＩＤは、伝送システムの転換を目的とする場合には転換先のネットワークを示し、一方受信機の機能向上やバグフィクスを目的とする場合には当該ネットワークを示すものとなる。
【００２７】
伝送レートは、ＤＬＴのサブテーブル毎（機種毎）の伝送レートであり、１秒間に送出されるＴＳパケットの数を示している。ダウンロードＰＩＤは、ＤＬＴのＰＩＤを示すものである。ＥＣＭ（Entitlement  Control  Message）  ＰＩＤは、そのＤＬＴに対応するＥＣＭのＰＩＤを示すものである。上述せずも、ＤＬＴにはセキュリテーを確保するためにスクランブルが施されている。ＥＣＭはそのスクランブルを解除するキー情報を持っている。
【００２８】
機種情報長は、以下に続く機種情報ループの全バイト数を規定している。メーカーＩＤは、該当ＤＬＴが適用される受信機のメーカーを示すものである。モデルＩＤは、該当ＤＬＴが適用される受信機の同一メーカーＩＤ内でのモデルを示すものである。バージョンＩＤは、該当ＤＬＴが適用される受信機の同一メーカーＩＤ／モデルＩＤ内でのソフトバージョンを示すものである。ＤＬＴサイズは、同一メーカーＩＤ／モデルＩＤ／バージョンＩＤを持つＤＬＴのセクション数を示すものであり、ＤＬＴの最終拡張セクション番号の中央８ビットと同じ値をとる。
【００２９】
ＤＬＴは、ダウンロードするソフトウェア本体を持つテーブルである。ＰＩＤは事業者により運用され、ＤＣＴによって示される。このＤＬＴは、当該ネットワークの一部または全部のトランスポート・ストリームにて伝送される。図１１はＤＬＴのテーブル構造を示している。主な内容について説明する。テーブルＩＤは、テーブルの種別を示すものであって、ＳｋｙＰｅｒｆｅｃＴＶ！では、“0×C1”とされている。ＤＬＴでは、セクション長は、“0×89C”と固定されている。これは、ＤＬＴの１セクションを１２ＴＳパケットとし、伝送時間の計算等の取り扱いを容易にするためである。
【００３０】
メーカーＩＤ、モデルＩＤ、バージョンＩＤは、上述したＤＣＴでの説明と同じである。拡張セクション番号は、セクション番号を１６ビットに拡張したものである。拡張セクション番号は、同一テーブルＩＤ／メーカーＩＤ／モデルＩＤ／バージョンＩＤを持つセクション毎に１加算される。最終拡張セクション番号は、最大の拡張セクション番号を持つセクション番号を規定している。機種情報は、当該ソフトウェアに関する任意の情報を記載できる。ダウンロードソフトウェアは、ダウンロードするソフトウェアの本体を示している。
【００３１】
図１２は、図１のディジタルＣＡＴＶシステム１０における変調変換送出装置１２の構成を示している。この送出装置１２は、通信衛星２０の第１〜第Ｎのトランスポンダ（衛星中継器）より送られてくるディジタル放送信号の伝送周波数や変調方式等を変更してＣＡＴＶ用のディジタル放送信号を生成して伝送路１３に送出するものである。なお、各ディジタル放送信号には複数チャネルの番組が多重化されている。
【００３２】
送出装置１２は、マイクロコンピュータを備えてなり、装置全体の動作を制御する制御部３１と、通信衛星２０の第１〜第Ｎのトランスポンダより送られてくるＳＨＦ（Super  High  Frequency）帯のディジタル放送信号を処理して、ＶＨＦ（Very  High  Frequency）帯またはＵＨＦ（Ultra  High  Frequency）帯のＣＡＴＶ用のディジタル放送信号ＢＳ1〜ＢＳNを生成する第１〜第Ｎの信号処理部３２-1〜３２-Nと、これらディジタル放送信号ＢＳ1〜ＢＳNを加算して伝送路１３に送出する加算器３３とを有している。なお、制御部３１には、各信号処理部３２-1〜３２-Nのチューナにおける受信周波数の設定等を行うための操作部３４と、送出装置１２の状態等を表示し、液晶表示器等で構成される表示部３５が接続されている。
【００３３】
信号処理部３２-1は、アンテナ１１で受信されたＳＨＦ帯の複数のディジタル放送信号より、通信衛星２０の第１のトランスポンダより送られてくるディジタル放送信号を選択し、そのディジタル放送信号に対して周波数変換処理を行ってＱＰＳＫ変調信号Ｓ１を得るチューナ４１と、このＱＰＳＫ変調信号Ｓ１を復調してＤＶＢのフレーム構成の信号Ｓ２を得る復調器４２と、この復調器４２より出力されるＤＶＢのフレーム構成の信号Ｓ２に対して誤り訂正を行って、ディジタル放送データとしてのＭＰＥＧ２トランスポートパケットＳ３を順次得るＥＣＣ（Error  Correction  Code）デコーダ４３とを有している。
【００３４】
また、信号処理部３２-1は、ＥＣＣデコーダ４３より順次出力されるＭＰＥＧ２トランスポートパケットＳ３よりＮＩＴ（ネットワーク・インフォメーション・テーブル）を検出するＮＩＴ検出回路４４と、このＮＩＴ検出回路４４で検出されたテーブルＮＩＴａを記憶するメモリ４５と、このメモリ４５に記憶されたテーブルＮＩＴａを制御部３１で変更して得られたテーブルＮＩＴｂを記憶するメモリ４６とを有している。ＮＩＴ検出回路４４では、固定のＰＩＤに基づいてＮＩＴの検出が行われる。上述したように通信衛星２０に係るディジタル放送データにおけるＮＩＴのテーブル構造は図７に示すようになっているため、ＮＩＴ検出回路４４で検出されるテーブルＮＩＴａのテーブル構造も同様である。
【００３５】
制御部３１では、テーブルＮＩＴｂを得るに当たって、テーブルＮＩＴａにおける伝送周波数情報等を持つサテライト・デリバリー・システム・ディスクリプタ（図８参照）が、図１３にその構造を示すＣＡＴＶ・デリバリー・システム・ディスクリプタに変更される。このＣＡＴＶ・デリバリー・システム・ディスクリプタの全長は、サテライト・デリバリー・システム・ディスクリプタと同一であるため、単純に置き換えるだけでよい。
【００３６】
主な内容を説明する。ディスクリプタ・タグは、ＤＶＢで規定されており、ディスクリプタの種別を示すものである。このディスクリプタでは、“0×44”となる。周波数は、ＣＡＴＶにおけるストリーム（多重化された符号化データ）毎の伝送周波数を示すものである。ＦＥＣ（外符号）は、外符号としての誤り訂正符号を示すものであって、このディスクリプタでは、“0010”となる。変調／シンボルレート／ＦＥＣ（内符号）は、伝送方式に関する仕様を示すものである。
【００３７】
なお、ＣＡＴＶにおけるディジタル放送信号の数が、衛星ディジタル放送におけるディジタル放送信号の数よりも少ない場合がある。つまり、通信衛星２０がＬ個のトランスポンダを備え、衛星ディジタル放送におけるディジタル放送信号の数がＬ個であるとき、ＣＡＴＶではそのＬ個のディジタル放送信号のうちＮ個（Ｎ＜Ｌ）のディジタル放送信号が選択的に使用されることがある。その場合、制御部３１では、テーブルＮＩＴｂを得るに当たって、テーブルＮＩＴａにおけるＣＡＴＶで使用されないディジタル放送信号に対応したＴＳＩＤに係る情報（図７において、トランスポート・ストリームＩＤ〜ディスクリプタまでの情報）が削除される。
【００３８】
また、制御部３１では、テーブルＮＩＴｂを得るに当たって、操作部３４の操作に対応して視聴制限すべきサービス（番組）の情報が削除される。この場合、ＮＩＴ検出回路４４で検出されるテーブルＮＩＴａの内容（ＴＳＩＤ毎に、そのトランスポート・ストリームに多重化されたサービス）を表示部３５に表示させることができる。この状態で、操作部３４によって視聴制限すべきサービスが指定されと、テーブルＮＩＴａより、そのサービスの情報が削除される。
【００３９】
例えば、あるＴＳＩＤに多重化されたサービスの全てが視聴制限をすべきサービスとして指定されるときは、そのＴＳＩＤに係る情報（図７において、ＴＳＩＤ〜ディスクリプタまでの情報）の全てが削除される。また例えば、あるＴＳＩＤに多重化されたサービスの一部が視聴制限をすべきサービスとして指定されるときは、そのＴＳＩＤに係るサービス・リスト・ディスクリプタよりそのサービスの情報（図９において、サービスＩＤ、サービス・タイプ）が削除される。
【００４０】
メモリ４５，４６の書き込み、読み出しは、制御部３１によりインタフェース４７を介して制御される。上述したチューナ４１の受信周波数も、制御部３１により、インタフェース４７を介して制御される。
【００４１】
また、信号処理部３２-1は、ＥＣＣデコーダ４３より順次出力されるＭＰＥＧ２トランスポートパケットＳ３よりＮＩＴを検出し、そのＮＩＴをメモリ４６に記憶されているテーブルＮＩＴｂに置き換えるＮＩＴ置換回路４８を有している。このＮＩＴ置換回路４８でも、固定のＰＩＤに基づいてＮＩＴの検出が行われる。
【００４２】
また、制御部３１でテーブルＮＩＴｂを得るに当たって、視聴制限すべきサービス（番組）の情報等が削除される場合、上述せずも、その削除された情報に係る部分にダミービットが挿入される。これにより、トランスポート・ストリームの全長が削除前と同じとなり、置き換えが容易となる。ＮＩＴ置換回路４８ではＮＩＴの置き換えのみが行われ、パケットＳ３、パケットＳ４には、同一のＤＣＴおよびＤＬＴが含まれている。
【００４３】
また、信号処理部３２-1は、ＮＩＴが置き換えられたＭＰＥＧ２トランスポートパケットＳ４に対して、リードソロモン（２０４，１８８）の誤り訂正符号を付加する等してＤＶＢのフレーム構成の信号Ｓ５（図２Ｂ参照）を得るＥＣＣエンコーダ４９と、このＤＶＢのフレーム構成の信号Ｓ５に６４ＱＡＭ（Quadrature  Amplitude  Modulation）の変調処理を行う変調器５０と、この変調器５０より出力される６４ＱＡＭ変調信号の周波数を変換してＶＨＦ帯またはＵＨＦ帯のＣＡＴＶ用のディジタル放送信号ＢＳ1を得る周波数変換器５１とを有している。
【００４４】
なお、信号処理部３２-2〜３２-Nは、それぞれ上述した信号処理部３２-1におけるチューナ４１、復調器４２、ＥＣＣデコーダ４３、インタフェース４７、ＮＩＴ置換回路４８、ＥＣＣエンコーダ４９、変調器５０および周波数変換器５１を備えた構成とされている。そして、信号処理部３２-2〜３２-NのＮＩＴ置換回路４８では、それぞれ信号処理部３２-1のメモリ４６に記憶されているテーブルＮＩＴｂが使用されてＮＩＴの置き換えが行われる。
【００４５】
また、信号処理部３２-2〜３２-Nのチューナでは、それぞれアンテナ１１で受信された複数のディジタル放送信号より通信衛星２０の第２〜第Ｎのトランスポンダより送られてくるディジタル放送信号が選択され、そのディジタル放送信号に対して周波数変換処理が行われて所望のＱＰＳＫ変調信号Ｓ１が得られる。信号処理部３２-2〜３２-Nのチューナの受信周波数は、制御部３１により、インタフェース４７を介して制御される。さらに、信号処理部３２-2〜３２-Nの周波数変換器５１では、ディジタル放送信号ＢＳ1〜ＢＳNの伝送周波数がそれぞれ異なるように周波数変換される。
【００４６】
次に、図１２に示す変調変換送出装置１２の動作を説明する。アンテナ１１で受信されたＳＨＦ帯の複数のディジタル放送信号は信号処理部３２-1のチューナ４１に供給される。チューナ４１では、通信衛星２０の第１のトランスポンダより送られてくるディジタル放送信号が選択され、さらにそのディジタル放送信号に対して周波数変換処理が行われて所望のＱＰＳＫ変調信号Ｓ１が得られる。このＱＰＳＫ変調信号Ｓ１は復調器４２に供給され、この復調器４２ではＱＰＳＫ変調信号Ｓ１に対して復調処理が行われてＤＶＢのフレーム構成の信号Ｓ２が得られる（図２Ｂ参照）。そして、このＤＶＢのフレーム構成の信号Ｓ２がＥＣＣデコーダ４３に供給され、このＥＣＣデコーダ４３ではＤＶＢのフレーム構成の信号Ｓ２に対して誤り訂正処理が行われてディジタル放送データとしてのＭＰＥＧ２トランスポートパケットＳ３が順次得られる（図２Ａ参照）。
【００４７】
また、ＥＣＣデコーダ４３より順次出力されるＭＰＥＧ２トランスポートパケットＳ３はＮＩＴ検出回路４４に供給され、このＮＩＴ検出回路４４ではＭＰＥＧ２トランスポートパケットＳ３よりＮＩＴが検出される。そして、検出されたテーブルＮＩＴａはメモリ４５に供給されて記憶される。制御部３１は、メモリ４５よりテーブルＮＩＴａを読み出し、そのテーブルＮＩＴａにおけるサテライト・デリバリー・システム・ディスクリプタ（図８参照）をＣＡＴＶ・デリバリー・システム・ディスクリプタ（図１３参照）に変更し、またテーブルＮＩＴａにおける視聴制限するように指定されたサービス（番組）の情報を削除し、さらにテーブルＮＩＴａにおけるＣＡＴＶで使用されないディジタル放送信号に対応したＴＳＩＤに係る情報を削除する等してテーブルＮＩＴｂを得、このテーブルＮＩＴｂをメモリ４６に記憶しておく。
【００４８】
また、ＥＣＣデコーダ４３より順次出力されるＭＰＥＧ２トランスポートパケットＳ３はＮＩＴ置換回路４８に供給され、このＮＩＴ置換回路４８ではＮＩＴが検出され、そのＮＩＴの部分がメモリ４６に記憶されているテーブルＮＩＴｂに置き換えられる。この場合、制御部３１でテーブルＮＩＴｂを得るに当たって、視聴制限すべきサービス（番組）の情報等が削除される場合、その削除された情報に係る部分にダミービットが挿入される。
【００４９】
また、ＮＩＴ置換回路４８でＮＩＴが置換されたＭＰＥＧ２トランスポートパケットＳ４はＥＣＣエンコーダ４９に供給され、このＥＣＣエンコーダ４９では、リードソロモン（２０４，１８８）の誤り訂正符号が付加される等してＤＶＢのフレーム構成の信号Ｓ５が形成される。このＤＶＢのフレーム構成の信号Ｓ５は変調器５０に供給され、この変調器５０ではＤＶＢのフレーム構成の信号Ｓ５に６４ＱＡＭの変調処理が行われて６４ＱＡＭ変調信号Ｓ６が得られる。そして、この６４ＱＡＭ変調信号Ｓ６は周波数変換器５１に供給され、この周波数変換器５１では６４ＱＡＭ変調信号に周波数変換処理が行われてＶＨＦ帯またはＵＨＦ帯の所定の伝送周波数のＣＡＴＶ用のディジタル放送信号ＢＳ1が得られる。
【００５０】
また、アンテナ１１で受信されたＳＨＦ帯の複数のディジタル放送信号は信号処理部３２-2〜３２-Nに供給され、それぞれのチューナでは通信衛星２０の第２〜第Ｎのトランスポンダより送られてくるディジタル放送信号が選択され、そのディジタル放送信号に対して周波数変換処理が行われて所望のＱＰＳＫ変調信号Ｓ１が得られる。そして、信号処理部３２-2〜３２-Nでは、それぞれＮＩＴ置換回路４８で信号処理部３２-1のメモリ４６に記憶されているテーブルＮＩＴｂが使用されてＮＩＴの置き換えが行われる等、信号処理部３２-1と同様の処理が行われて、ＶＨＦ帯またはＵＨＦ帯の所定の伝送周波数のＣＡＴＶ用のディジタル放送信号ＢＳ2〜ＢＳNが得られる。これらのディジタル放送信号ＢＳ1〜ＢＳNは加算器３３に供給されて加算され、その加算信号はＣＡＴＶの伝送路１３に送出される。
【００５１】
図１４は、図１のディジタルＣＡＴＶシステム１０におけるセット・トップ・ボックス１４（１４-1〜１４-m）の構成を示している。
【００５２】
このセット・トップ・ボックス１４は、ＣＡＴＶの伝送路１３に接続される端子１０１と、マイクロコンピュータを有して構成され、全体の動作を制御するためのコントローラ１０２と、ＣＡＴＶの伝送路１３から端子１０１に供給されるディジタル放送信号ＣＤＢＳより所定のＲＦチャネルの放送信号を選択し、その所定のＲＦチャネルの放送信号に対応したディジタル変調データを出力するチューナ１０５とを有している。
【００５３】
コントローラ１０２には、視聴者の選局等の操作を受け付けるためのキー入力部１０３と、装置の動作状態等を表示するための液晶表示素子等で構成される表示部１０４とが接続されている。チューナ１０５における選局動作は、視聴者のキー入力部１０３の操作に基づき、コントローラ１０２によって制御される。
【００５４】
また、セット・トップ・ボックス１４は、チューナ１０５より出力されるディジタル変調データに対して復調処理をする復調器１０６と、この復調器１０６の出力データに対して誤り訂正処理をし、上述の所定のＲＦチャネルの放送信号に対応したＭＰＥＧ２トランスポート・ストリームＴＳを得るＥＣＣデコーダ１０７と、このトランスポート・ストリームＴＳのスクランブルされているビデオデータやオーディオデータのパケットに対してスクランブルの解除処理をするデスクランブラ１０８とを有している。
【００５５】
また、セット・トップ・ボックス１４は、デスクランブラ１０８より出力されるトランスポート・ストリームＴＳより、ユーザのキー入力部１０３の操作によって指定されたチャネルのビデオデータやオーディオデータのパケットを分離し、それらのパケットからなるビデオデータ・ストリームＶＤＳやオーディオデータ・ストリームＡＤＳを出力すると共に、そのチャネルの付加データのパケットを分離し、そのパケットからなる付加データ・ストリームＳＤＳを出力するデマルチプレクサ１０９とを有している。
【００５６】
なお、デマルチプレクサ１０９では、コントローラ１０２の制御に基づいて、上述した番組仕様情報（ＰＳＩ）としてのＮＩＴ，ＰＡＴ，ＰＭＴの取得や、ダウンロード情報としてのＤＣＴ，ＤＬＴの取得も行われる。そして、取得されたそれらの情報はコントローラ１０２に供給される。
【００５７】
また、セット・トップ・ボックス１４は、ビデオデータ・ストリームＶＤＳに対してデータ伸長処理等をしてビデオ信号ＳＶを得るビデオ処理部１１０と、そのビデオ信号ＳＶを出力するビデオ出力端子１１１と、ビデオ処理部１１０とビデオ出力端子１１１との間に挿入され、後述する番組案内情報等の文字表示信号ＳＣＨを合成する合成器１１２と、オーディオデータ・ストリームＡＤＳに対してデータ伸長処理等をしてオーディオ信号ＳＡを得るオーディオ処理部１１３と、そのオーディオ信号ＳＡを出力するオーディオ出力端子１１４とを有している。
【００５８】
また、セット・トップ・ボックス１４は、ＩＣカード１１５が接続されるＩＣカードインタフェース部１１６を有している。ＩＣカードインタフェース部１１６は、コントローラ１０２に接続されている。ＩＣカード１１５は、スクランブルの鍵情報を記憶していると共に、コントローラ１０２よりＩＣカードインタフェース部１１６を介して送られてくる限定受信情報に基づき視聴の可／不可を判断し、可の場合にはスクランブルの鍵情報をＩＣカードインタフェース部１１６を介してコントローラ１０２に送る機能を持っている。
【００５９】
また、セット・トップ・ボックス１４は、画面上に文字表示をするための文字表示信号ＳＣＨを発生するためのＯＳＤ（On  Screen  Display）回路１１７を有している。このＯＳＤ回路１１７はコントローラ１０２に接続され、その文字表示信号の発生動作はコントローラ１０２によって制御される。
【００６０】
次に、図１５のフローチャートを参照して、図１４に示すセット・トップ・ボックス１４の受信動作を簡単に説明する。
【００６１】
なお、ＰＡＴおよびＰＭＴにおいてはプログラム番号が、ＮＩＴにおいてはサービスＩＤが、それぞれの視聴者が選局するチャネル番号に該当する。さらに、ＮＩＴがネットワーク全体、すなわち全てのトランスポンダの情報を含み、同一のテーブルが全てのトランスポンダで並行に伝送されるのに対し、ＰＡＴおよびＰＭＴはそれぞれが伝送されるトランスポンダ内の番組の情報だけからなり、各トランスポンダ毎に異なった内容となっている。
【００６２】
視聴者がキー入力部１０３を操作して「Ｍ」チャネルを選局したとする（ステップＳＴ１）。この場合、コントローラ１０２は、デマルチプレクサ１０９で固定のＰＩＤによってＮＩＴが取得されるように制御し、そのＮＩＴの各ＴＳＩＤに付属するサービス・リスト・ディスクリプタ内のサービスＩＤについて「Ｍ」をサーチする（ステップＳＴ２）。
【００６３】
サービスＩＤ「Ｍ」があるとき（ステップＳＴ３）、コントローラ１０２は、サービスＩＤ「Ｍ」を含むサービス・リスト・ディスクリプタの前に組み合わされているＣＡＴＶ・デリバリー・システム・ディスクリプタより、「Ｍ」チャネルを伝送しているトランスポンダの周波数を認識し、チューナ１０５の受信周波数を制御する（ステップＳＴ４）。これにより、チューナ１０５では、「Ｍ」チャネルを伝送している変調変換送出装置１２の所定の信号処理部からのディジタル放送信号が選択されることとなる。
【００６４】
そして、コントローラ１０２は、デマルチプレクサ１０９で固定のＰＩＤによってＰＡＴが取得されるように制御し、そのＰＡＴ内のプログラム番号について「Ｍ」をサーチしてＰＡＴ内のプログラム番号「Ｍ」を認識し、そのプログラム番号「Ｍ」に付随するプログラム・マップＰＩＤを得る（ステップＳＴ５）。そして、コントローラ１０２は、デマルチプレクサ１０９でプログラム・マップＰＩＤによってＰＭＴが取得されるように制御し、そのＰＭＴ内でプログラム番号「Ｍ」に対応するストリーム・タイプ（映像、音声等）毎のエレメンタリーＰＩＤを認識する（ステップＳＴ６）。
【００６５】
そして、コントローラ１０２は、デマルチプレクサ１０９でエレメンタリーＰＩＤと一致するＰＩＤを持つトランスポート・ストリーム・パケットが分離されるように制御する（ステップＳＴ７）。この場合、デマルチプレクサ１０９では、「Ｍ」チャネルのビデオデータやオーディオデータのパケットが分離されると共に、その「Ｍ」チャネルの付加データのパケットも分離される。
【００６６】
ここで、コントローラ１０２は、付加データ・ストリームＳＤＳより抽出される限定受信情報をＩＣカードインタフェース部１１６を介してＩＣカード１１３に供給する。ＩＣカード１１３では、その限定受信情報に基づき視聴の可／不可が判断される。そして、可の場合には、ＩＣカード１１５より、スクランブルの鍵情報がＩＣカードインタフェース部１１６を介してコントローラ１０２に送られる。この鍵情報は、コントローラ１０２により、デスクランブラ１０８にセットされる。これにより、デスクランブラ１０８では、スクランブルされているビデオデータやオーディオデータのパケットのスクランブルが解除され、従ってデマルチプレクサ１０９より得られるビデオデータ・ストリームＶＤＳやオーディオデータ・ストリームＡＤＳは、スクランブルが解除されたデータに係るものとなる。
【００６７】
そして、デマルチプレクサ１０９より出力されるビデオデータやオーディオデータがデコードされ、「Ｍ」チャネルのビデオ信号ＳＶやオーディオ信号ＳＡが得られる（ステップＳＴ８）。すなわち、デマルチプレクサ１０９より出力されるビデオデータ・ストリームＶＤＳに対してビデオ処理部１１０でデータ伸長等の処理が行われてビデオ信号ＳＶが生成され、このビデオ信号ＳＶが合成器１１２を介して出力端子１１１に導出される。
【００６８】
また、デマルチプレクサ１０９より出力されるオーディオデータ・ストリームＡＤＳに対してオーディオ処理部１１３でデータ伸長等の処理が行われてオーディオ信号ＳＡが生成され、このオーディオ信号ＳＡが出力端子１１４に導出される。出力端子１１１に得られるビデオ信号ＳＶをモニタ（図示せず）に供給することで、「Ｍ」チャネルの画像を表示でき、また出力端子１１４に得られるオーディオ信号ＳＡをスピーカ（図示せず）に供給することで、「Ｍ」チャネルの音声を出力できる。
【００６９】
また、ＮＩＴの各ＴＳＩＤに付属するサービス・リスト・ディスクリプタ内のサービスＩＤについて「Ｍ」をサーチした結果、サービスＩＤ「Ｍ」がないとき（ステップＳＴ３）、コントローラ１０２は表示部１０４に受信不可である旨を表示させ（ステップＳＴ９）、受信動作を終了する。したがって、上述したように変調変換送出装置１２（図１２参照）において、視聴制限すべきサービス（番組）の情報として、ＮＩＴより、ＴＳＩＤに係る情報やサービス・リスト・ディスクリプタのサービスの情報が削除される場合、セット・トップ・ボックス１４では、そのサービス（番組）の受信が不可能となる。
【００７０】
なお、図１５のフローチャートでは、ステップＳＴ１で「Ｍ」チャネルの選局がある毎にステップＳＴ２でＮＩＴを取得し、そのＮＩＴを利用して「Ｍ」のサーチを行うように説明したが、内容変更がある毎にＮＩＴを随時取得してコントローラ１０２の内蔵メモリに記憶しておき、そのＮＩＴを利用して「Ｍ」のサーチを行うようにしてもよい。因に、ＮＩＴの内容の変更は、バージョン番号で認識される。
【００７１】
次に、ソフトウェアのダウンロード動作について説明する。視聴者がキー入力部１０３を操作して、現在のダウンロードソフトウェアの送出状況の表示を指示したとする。この場合、コントローラ１０２は、デマルチプレクサ１０９で、固定のＰＩＤによってＤＣＴが取得されるように制御し、そして取得されたＤＣＴに基づき、ＯＳＤ回路１１７を制御して現在のダウンロードソフトウェアの送出状況を表示するための文字表示信号ＳＣＨを発生させる。これにより、ビデオ処理部１１０より出力されるビデオ信号ＳＶに文字表示信号ＳＣＨが合成され、ビデオ出力端子１１１に接続されるモニタ（図示せず）には、所定チャネルの画像に重ねて現在のダウンロードソフトウェアの送出状況が表示される。
【００７２】
この状態において、視聴者がキー入力部１０３を操作して、ソフトウェアのダウンロードを指示したとする。この場合、コントローラ１０２は、受信状態が良好であること等の事業者によって規定されたダウンロード開始条件が成立する場合、ダウンロード処理を実行する。
【００７３】
まず、コントローラ１０２は、ＤＣＴ中のＴＳＩＤに示されるトランスポート・ストリームを受信するようにチューナ１０５の受信周波数を制御する。次に、コントローラ１０２は、デマルチプレクサ１０９で、ＤＣＴで示されるＰＩＤによって、自己に適合するＤＬＴが取得されるように制御する。次に、コントローラ１０２は、取得されたＤＬＴにかけられたスクランブルをＤＣＴ中のＥＣＭ  ＰＩＤで取得されたＥＣＭを用いて解除すると共に、ＣＲＣによって誤りをチェックして正当性を確保する。
【００７４】
そして、コントローラ１０２は、内蔵のフラッシュメモリ（図示せず）に記憶されているソフトウェアを、ダウンロードされて正当性が確認されたＤＬＴに含まれるソフトウェアで書き換える。この場合、ソフトウェアの固定部を除き、基本的に全てを書き換える。固定部は、ブート部（最低限の初期化部）とローダ部（ダウンロード制御部）とから構成されている。ブート部は、ローダ部を動作させるための最低限の初期化を行い、ローダ部を起動する。ローダ部は、上述したようにダウンロード開始条件が成立する場合はダウンロード処理を起動し、成立しない場合は通常の受信機動作を行う。
【００７５】
なお、ダウンロード処理中に、現在ロード中のものと違うバージョンＩＤを検出した場合は、ダウンロード処理を最初からやり直すこととなる。コントローラ１０２は、ダウンロード処理終了後には、通常の受信機動作を実行する。
【００７６】
以上説明したように、本実施の形態においては、変調変換送出装置１２（図１２参照）では、ＭＰＥＧ２トランスポートパケット（ディジタル放送データ）のうち、ＮＩＴのみがケーブルネットワークに適合するように変更される。つまり衛星系のディジタル放送データに含まれるＤＣＴ，ＤＬＴ等のダウンロード情報がそのままケーブルネットワークに供給される。したがって、各ケーブルネットワークにおいて独自のダウンロード情報の送出を不要とでき、ダウンロード情報の送出ための設備等が不要となり、コスト削減を図ることができる。
【００７７】
また、このように各ケーブルネットワークに衛星を通じてダウンロード情報を送出できるため、各ケーブルネットワークでソフトウェアのダウンロードが可能となるタイミングがほぼ同じくなり、各ケーブルネットワークで均一なサービスの提供が可能となる。また、ダウンロード情報は、衛星系と共通に使用できるものであってもよく、またケーブル系のみで使用できるものであってもよい。
【００７８】
図１６は、変調変換送出装置１２の他の構成を示している。この図１６において、図１２と対応する部分には同一符号を付し、その詳細説明は省略する。図１６に示す変調変換送出装置１２では、信号処理部３２-1は、さらにＥＣＣデコーダ４３より順次出力されるＭＰＥＧ２トランスポートパケットＳ３よりＤＣＴ（ダウンロード制御テーブル）を検出するＤＣＴ検出回路５２と、このＤＣＴ検出回路５２で検出されたテーブルＤＣＴａを記憶するメモリ５３とを有している。メモリ５３の書き込み、読み出しは、制御部３１によりインタフェース４７を介して制御される。
【００７９】
また、図１６に示す変調変換送出装置１２は、第１〜第Ｎの信号処理部３２-1〜３２-Nの他に、独自のＣＡＴＶ用のディジタル放送信号ＢＳ0を生成する信号処理部３２-0を有している。加算器３３では、第１〜第Ｎの信号処理部３２-1〜３２-Nで生成されるディジタル放送信号ＢＳ1〜ＢＳNの他に、信号処理部３２-0で生成されるディジタル放送信号ＢＳ0も加算され、加算信号が伝送路１３に送出される。
【００８０】
信号処理部３２-0は、ビデオ信号Ｖ１〜Ｖｎやオーディオ信号Ａ１〜Ａｍより、上述した信号処理部３２-1のＥＣＣデコーダ４３より出力されるパケットＳ３と同様のＭＰＥＧ２トランスポートパケットＳ１１を順次得る多重化装置５５を有している。この多重化装置５５では、例えば地上波放送信号等に係るパケットＳ１１が作成される。この多重化装置５５には、制御部３１より、ＤＣＴ検出回路５２で検出されたＤＣＴａが供給され、パケットＳ１１内に挿入される。
【００８１】
また、信号処理部３２-0は、多重化装置５５で得られるＭＰＥＧ２トランスポートパケットＳ１１に対して、リードソロモン（２０４，１８８）の誤り訂正符号を付加する等してＤＶＢのフレーム構成の信号Ｓ１２（図２Ｂ参照）を得るＥＣＣエンコーダ５６と、このＤＶＢのフレーム構成の信号Ｓ１２に６４ＱＡＭの変調処理を行う変調器５７と、この変調器５７より出力される６４ＱＡＭ変調信号Ｓ１３の周波数を変換してＶＨＦ帯またはＵＨＦ帯のＣＡＴＶ用のディジタル放送信号ＢＳ0を得る周波数変換器５８とを有している。
【００８２】
図１６に示す変調変換送出装置１２においては、信号処理部３２-0によって、独自のＣＡＴＶ用のディジタル放送信号ＢＳ0が生成され、このディジタル放送信号ＢＳ0も加算器３３を介して伝送路１３に送出される。ＣＡＴＶ用のセット・トップ・ボックス１４（図１４参照）では、チューナ１０５でこのディジタル放送信号ＢＳ0を選択することで、このディジタル放送信号ＢＳ0に係るチャネルの視聴を行うことができる。
【００８３】
しかも、このディジタル放送信号ＢＳ0に係るディジタル放送データ（ＭＰＥＧ２トランスポートパケットＳ１１）には、衛星系のディジタル放送データ（ＭＰＥＧ２トランスポートパケットＳ３）より検出されたダウンロード制御情報ＤＣＴａが挿入されている。したがって、受信機１４では、信号処理部３２-0で生成されたディジタル放送信号ＢＳ0を選択しているときでも、ダウンロード制御情報を確認でき、ソフトウェアのダウンロードをタイムリーに行うことが可能となる。
【００８４】
なお、上述説明では、衛星系のディジタル放送データに含まれるＤＣＴやＤＬＴのダウンロード情報をそのままＣＡＴＶの伝送路１３に送出するものを説明したが、各ケーブルネットワークで独自のダウンロード情報を伝送路１３に送出するようにも構成できる。この場合、変調変換送出装置１２では、例えば衛星系のディジタル放送データに含まれるダウンロード情報を、独自のダウンロード情報に置き換える置換回路を備える構成とされる。この置換回路は、ＮＩＴ置換回路４８と同等の回路で実現できる。このように構成することで、独自に作成されたダウンロード情報を、衛星系のディジタル放送データに含まれるダウンロード情報のデータ領域を利用して、ケーブルネットワークに容易に送出できる。
【００８５】
ここで、ＤＣＴに関しては、衛星系のディジタル放送データより抽出し、必要部分のみを書き換えることで、独自のＤＣＴを作成できる。必要な部分とは、メーカーＩＤ、モデルＩＤ、バージョンＩＤ、機種情報長等である。なお、ダウンロード制御情報に関しては、衛星系のダウンロード制御情報の他に、ＣＡＴＶ用のダウンロード制御情報を挿入しておけば、ダウンロード制御情報の書き換えや置き換えの処理は不要となる。
【符号の説明】
【００８６】
１０・・・ディジタルＣＡＴＶシステム、１１・・・アンテナ、１２・・・変調変換送出装置、１３・・・ＣＡＴＶの伝送路、１４-1〜１４-m・・・セット・トップ・ボックス、１５-1〜１５-m・・・モニタ、２０・・・通信衛星、３１・・・制御部、３２-0〜３２-N・・・信号処理部、３３・・・加算器、３４・・・操作部、３５・・・表示部、４１・・・チューナ、４２・・・復調器、４３・・・ＥＣＣデコーダ、４４・・・ＮＩＴ検出回路、４５，４６，５３・・・メモリ、４７・・・インタフェース、４８・・・ＮＩＴ置換回路、４９，５６・・・ＥＣＣエンコーダ、５０，５７・・・変調器、５１，５８・・・周波数変換器、５２・・・ＤＣＴ検出回路、５５・・・多重化装置、１０１・・・伝送路に接続される端子、１０２・・・コントローラ、１０３・・・キー入力部、１０５・・・チューナ、１０６・・・復調器、１０７・・・ＥＣＣデコーダ、１０８・・・デスクランブラ、１０９・・・デマルチプレクサ、１１０・・・ビデオ処理部、１１１・・・ビデオ出力端子、１１２・・・合成器、１１３・・・オーディオ処理部、１１４・・・オーディオ出力端子、１１５・・・ＩＣカード、１１６・・・ＩＣカードインタフェース部、１１７・・・ＯＳＤ回路
【図１】
2011109672.tif 000003
【図２】
2011109672.tif 000004
【図３】
2011109672.tif 000005
【図４】
2011109672.tif 000006
【図５】
2011109672.tif 000007
【図６】
2011109672.tif 000008
【図７】
2011109672.tif 000009
【図８】
2011109672.tif 000010
【図９】
2011109672.tif 000011
【図１０】
2011109672.tif 000012
【図１１】
2011109672.tif 000013
【図１２】
2011109672.tif 000014
【図１３】
2011109672.tif 000015
【図１４】
2011109672.tif 000016
【図１５】
2011109672.tif 000017
【図１６】
2011109672.tif 000018